(57)【要約】【課題】貨幣処理装置の保守作業が行われる際に、貨幣処理装置本体に不具合が生じた場合にも、保守端末が貨幣処理装置のログ情報を直ちに取得することができるログ情報管理システムを提供する。【解決手段】ログ情報管理システムにおいて、貨幣処理装置は、第１電力源を備える貨幣処理装置本体と、前記第１電力源以外の電力源から電力が供給された場合に、前記貨幣処理装置本体から独立して動作し、前記貨幣処理装置のログ情報である貨幣処理装置ログ情報を前記携帯端末と無線通信するリムーバブルなメモリデバイスと、前記リムーバブルなメモリデバイスに電力を供給することができる第２電力源と、を備える。携帯端末は、前記貨幣処理装置ログ情報を前記リムーバブルなメモリデバイスと無線通信する携帯端末無線通信部と、前記携帯端末無線通信部が受信した前記貨幣処理装置ログ情報を記憶する携帯端末記憶部と、を備える。【選択図】図１
2017027399.tif 000002
【特許請求の範囲】
【請求項１】
貨幣処理装置と、携帯端末とを備えるログ情報管理システムであって、
前記貨幣処理装置は、
第１電力源を備える貨幣処理装置本体と、
前記第１電力源以外の電力源から電力が供給された場合に、前記貨幣処理装置本体から独立して動作し、前記貨幣処理装置のログ情報である貨幣処理装置ログ情報を前記携帯端末と無線通信するリムーバブルなメモリデバイスと、
前記リムーバブルなメモリデバイスに電力を供給することができる第２電力源と、
を備え、
前記携帯端末は、
前記貨幣処理装置ログ情報を前記リムーバブルなメモリデバイスと無線通信する携帯端末無線通信部と、
前記携帯端末無線通信部が受信した前記貨幣処理装置ログ情報を記憶する携帯端末記憶部と、
を備える、ログ情報管理システム。
【請求項２】
前記貨幣処理装置は、
前記第１電力源が前記リムーバブルなメモリデバイスに電力を供給しているか否かを判定する電力供給判定部、
を更に備え、
前記第２電力源は、
前記第１電力源が前記リムーバブルなメモリデバイスに電力を供給していないと前記電力供給判定部が判定した場合に、前記リムーバブルなメモリデバイスに電力を供給する、請求項１に記載のログ情報管理システム。
【請求項３】
前記貨幣処理装置は、
貨幣処理を行う貨幣処理部と、
前記貨幣処理部が行った貨幣処理のログ情報である貨幣処理ログ情報を含む前記貨幣処理装置ログ情報を生成するログ情報生成部と、
前記ログ情報生成部が生成した前記貨幣処理装置ログ情報を生成した直後に前記リムーバブルなメモリデバイスに送信するログ情報送信部と、
を更に備え、
前記リムーバブルなメモリデバイスは、前記第１電力源以外から電力が供給された場合に、前記貨幣処理装置ログ情報を前記携帯端末と無線通信し、
前記携帯端末記憶部は、前記携帯端末無線通信部が受信した前記貨幣処理装置ログ情報を記憶する、
請求項１または請求項２に記載のログ情報管理システム。
【請求項４】
前記ログ情報生成部が生成した前記貨幣処理装置ログ情報を暗号化するログ情報暗号化処理部、
を更に備え、
前記ログ情報送信部は、
前記ログ情報暗号化処理部が暗号化した前記貨幣処理装置ログ情報を前記リムーバブルなメモリデバイスに送信し、
前記リムーバブルなメモリデバイスは、
前記ログ情報送信部から受信した前記ログ情報暗号化処理部が暗号化した前記貨幣処理装置ログ情報を前記携帯端末と無線通信する、
請求項３に記載のログ情報管理システム。
【請求項５】
第１電力源を備える貨幣処理装置本体と、
前記第１電力源以外の電力源から電力が供給された場合に、前記貨幣処理装置本体から独立して動作し、自装置のログ情報である貨幣処理装置ログ情報を携帯端末と無線通信するリムーバブルなメモリデバイスと、
前記リムーバブルなメモリデバイスに電力を供給することができる第２電力源と、
を備える貨幣処理装置。
【請求項６】
前記第１電力源が前記リムーバブルなメモリデバイスに電力を供給しているか否かを判定する電力供給判定部、
を更に備え、
前記第２電力源は、
前記第１電力源が前記リムーバブルなメモリデバイスに電力を供給していないと前記電力供給判定部が判定した場合に、前記リムーバブルなメモリデバイスに電力を供給する、請求項５に記載の貨幣処理装置。
【請求項７】
貨幣処理を行う貨幣処理部と、
前記貨幣処理部が行った貨幣処理のログ情報である貨幣処理ログ情報を含む前記貨幣処理装置ログ情報を生成するログ情報生成部と、
前記ログ情報生成部が生成した前記貨幣処理装置ログ情報を生成した直後に前記リムーバブルなメモリデバイスに送信するログ情報送信部と、
を更に備え、
前記リムーバブルなメモリデバイスは、前記第１電力源以外から電力が供給された場合に、前記貨幣処理装置ログ情報を前記携帯端末と無線通信する、
請求項５または請求項６に記載の貨幣処理装置。
【請求項８】
前記ログ情報生成部が生成した前記貨幣処理装置ログ情報を暗号化するログ情報暗号化処理部、
を更に備え、
前記ログ情報送信部は、
前記ログ情報暗号化処理部が暗号化した前記貨幣処理装置ログ情報を前記リムーバブルなメモリデバイスに送信し、
前記リムーバブルなメモリデバイスは、
前記ログ情報送信部から受信した前記ログ情報暗号化処理部が暗号化した前記貨幣処理装置ログ情報を前記携帯端末と無線通信する、
請求項７に記載の貨幣処理装置。
【請求項９】
貨幣処理装置と、携帯端末とを備えるログ情報管理システムのログ情報管理方法であって、
前記貨幣処理装置において、
リムーバブルなメモリデバイスは、貨幣処理装置本体が備える第１電力源以外の電力源から電力が供給された場合に、前記貨幣処理装置本体から独立して動作し、前記貨幣処理装置のログ情報である貨幣処理装置ログ情報を前記携帯端末と無線通信し、
前記携帯端末において、
携帯端末無線通信部は、前記貨幣処理装置ログ情報を前記リムーバブルなメモリデバイスと無線通信し、
携帯端末記憶部は、前記携帯端末無線通信部が受信した前記貨幣処理装置ログ情報を記憶する、ログ情報管理方法。
【請求項１０】
リムーバブルなメモリデバイスは、貨幣処理装置本体が備える第１電力源以外の電力源から電力が供給された場合に、前記貨幣処理装置本体から独立して動作し、貨幣処理装置のログ情報である貨幣処理装置ログ情報を携帯端末と無線通信する、ログ情報管理方法。
【請求項１１】
貨幣処理装置のコンピュータを、
リムーバブルなメモリデバイスが貨幣処理装置本体の備える第１電力源以外の電力源から電力を供給された場合に、前記リムーバブルなメモリデバイスを前記貨幣処理装置本体から独立して動作させ、前記貨幣処理装置のログ情報である貨幣処理装置ログ情報を携帯端末と無線通信させる第１制御手段、
第２電力源から前記リムーバブルなメモリデバイスに電力を供給させる第２制御手段、
として機能させるプログラム。
【発明の詳細な説明】
【技術分野】
【０００１】
本発明は、ログ情報管理システム、貨幣処理装置、ログ情報管理方法及びプログラムに関する。
【背景技術】
【０００２】
さまざまな機器や装置で保守作業が行われている。
特許文献１には、関連する技術として、空調システムの室外機のような機器が無線通信機能を有するリムーバブルなメモリデバイスを備え、機器の保守作業を行う際に、メモリデバイスが機器のログ情報を保守端末に無線で送信することで、保守作業員が機器自体を開閉したり、メモリデバイスを脱着したりすることなく、保守端末が機器のログ情報を取得できる技術が記載されている。
【先行技術文献】
【特許文献】
【０００３】
【特許文献１】特開２０１４−１２７０１４号公報
【発明の概要】
【発明が解決しようとする課題】
【０００４】
ところで、貨幣処理装置のログ情報を記憶するメモリデバイスが貨幣処理装置本体から電源が供給されているときに貨幣処理装置の保守作業を行う場合、貨幣処理装置本体に不具合が生じると、保守端末は貨幣処理装置のログ情報を直ちに取得することができない。
そのため、貨幣処理装置の保守作業が行われる際に、貨幣処理装置本体に不具合が生じた場合にも、保守端末が貨幣処理装置のログ情報を直ちに取得することのできる技術が求められていた。
【０００５】
そこでこの発明は、上記の課題を解決することのできるログ情報管理システム、貨幣処理装置、ログ情報管理方法及びプログラムを提供することを目的としている。
【課題を解決するための手段】
【０００６】
本発明の第１の態様によれば、ログ情報管理システムは、貨幣処理装置と、携帯端末とを備えるログ情報管理システムであって、前記貨幣処理装置は、第１電力源を備える貨幣処理装置本体と、前記第１電力源以外の電力源から電力が供給された場合に、前記貨幣処理装置本体から独立して動作し、前記貨幣処理装置のログ情報である貨幣処理装置ログ情報を前記携帯端末と無線通信するリムーバブルなメモリデバイスと、前記リムーバブルなメモリデバイスに電力を供給することができる第２電力源と、を備え、前記携帯端末は、前記貨幣処理装置ログ情報を前記リムーバブルなメモリデバイスと無線通信する携帯端末無線通信部と、前記携帯端末無線通信部が受信した前記貨幣処理装置ログ情報を記憶する携帯端末記憶部と、を備える。
【０００７】
本発明の第２の態様によれば、上述のログ情報管理システムにおいて、前記貨幣処理装置は、前記第１電力源が前記リムーバブルなメモリデバイスに電力を供給しているか否かを判定する電力供給判定部、を更に備え、前記第２電力源は、前記第１電力源が前記リムーバブルなメモリデバイスに電力を供給していないと前記電力供給判定部が判定した場合に、前記リムーバブルなメモリデバイスに電力を供給する。
【０００８】
本発明の第３の態様によれば、上述のログ情報管理システムにおいて、前記貨幣処理装置は、貨幣処理を行う貨幣処理部と、前記貨幣処理部が行った貨幣処理のログ情報である貨幣処理ログ情報を含む前記貨幣処理装置ログ情報を生成するログ情報生成部と、前記ログ情報生成部が生成した前記貨幣処理装置ログ情報を生成した直後に前記リムーバブルなメモリデバイスに送信するログ情報送信部と、を更に備え、前記リムーバブルなメモリデバイスは、前記第１電力源以外から電力が供給された場合に、前記貨幣処理装置ログ情報を前記携帯端末と無線通信し、前記携帯端末記憶部は、前記携帯端末無線通信部が受信した前記貨幣処理装置ログ情報を記憶する。
【０００９】
本発明の第４の態様によれば、上述のログ情報管理システムは、前記ログ情報生成部が生成した前記貨幣処理装置ログ情報を暗号化するログ情報暗号化処理部、を更に備え、前記ログ情報送信部は、前記ログ情報暗号化処理部が暗号化した前記貨幣処理装置ログ情報を前記リムーバブルなメモリデバイスに送信し、前記リムーバブルなメモリデバイスは、前記ログ情報送信部から受信した前記ログ情報暗号化処理部が暗号化した前記貨幣処理装置ログ情報を前記携帯端末と無線通信する。
【００１０】
本発明の第５の態様によれば、上述の貨幣処理装置は、第１電力源を備える貨幣処理装置本体と、前記第１電力源以外の電力源から電力が供給された場合に、前記貨幣処理装置本体から独立して動作し、自装置のログ情報である貨幣処理装置ログ情報を携帯端末と無線通信するリムーバブルなメモリデバイスと、前記リムーバブルなメモリデバイスに電力を供給することができる第２電力源と、を備える。
【００１１】
本発明の第６の態様によれば、上述の貨幣処理装置において、前記第１電力源が前記リムーバブルなメモリデバイスに電力を供給しているか否かを判定する電力供給判定部、を更に備え、前記第２電力源は、前記第１電力源が前記リムーバブルなメモリデバイスに電力を供給していないと前記電力供給判定部が判定した場合に、前記リムーバブルなメモリデバイスに電力を供給する。
【００１２】
本発明の第７の態様によれば、上述の貨幣処理装置において、貨幣処理を行う貨幣処理部と、前記貨幣処理部が行った貨幣処理のログ情報である貨幣処理ログ情報を含む前記貨幣処理装置ログ情報を生成するログ情報生成部と、前記ログ情報生成部が生成した前記貨幣処理装置ログ情報を生成した直後に前記リムーバブルなメモリデバイスに送信するログ情報送信部と、を更に備え、前記リムーバブルなメモリデバイスは、前記第１電力源以外から電力が供給された場合に、前記貨幣処理装置ログ情報を前記携帯端末と無線通信する。
【００１３】
本発明の第８の態様によれば、上述の貨幣処理装置は、前記ログ情報生成部が生成した前記貨幣処理装置ログ情報を暗号化するログ情報暗号化処理部、を更に備え、前記ログ情報送信部は、前記ログ情報暗号化処理部が暗号化した前記貨幣処理装置ログ情報を前記リムーバブルなメモリデバイスに送信し、前記リムーバブルなメモリデバイスは、前記ログ情報送信部から受信した前記ログ情報暗号化処理部が暗号化した前記貨幣処理装置ログ情報を前記携帯端末と無線通信する。
【００１４】
本発明の第９の態様によれば、ログ情報管理方法は、貨幣処理装置と、携帯端末とを備えるログ情報管理システムのログ情報管理方法であって、前記貨幣処理装置において、リムーバブルなメモリデバイスは、貨幣処理装置本体が備える第１電力源以外の電力源から電力が供給された場合に、前記貨幣処理装置本体から独立して動作し、前記貨幣処理装置のログ情報である貨幣処理装置ログ情報を前記携帯端末と無線通信し、前記携帯端末において、携帯端末無線通信部は、前記貨幣処理装置ログ情報を前記リムーバブルなメモリデバイスと無線通信し、携帯端末記憶部は、前記携帯端末無線通信部が受信した前記貨幣処理装置ログ情報を記憶する。
【００１５】
本発明の第１０の態様によれば、ログ情報管理方法は、リムーバブルなメモリデバイスは、貨幣処理装置本体が備える第１電力源以外の電力源から電力が供給された場合に、前記貨幣処理装置本体から独立して動作し、貨幣処理装置のログ情報である貨幣処理装置ログ情報を携帯端末と無線通信する。
【００１６】
本発明の第１１の態様によれば、プログラムは、貨幣処理装置のコンピュータを、リムーバブルなメモリデバイスが貨幣処理装置本体の備える第１電力源以外の電力源から電力を供給された場合に、前記リムーバブルなメモリデバイスを前記貨幣処理装置本体から独立して動作させ、前記貨幣処理装置のログ情報である貨幣処理装置ログ情報を携帯端末と無線通信させる第１制御手段、第２電力源から前記リムーバブルなメモリデバイスに電力を供給させる第２制御手段、として機能させる。
【発明の効果】
【００１７】
本発明のログ情報管理システムにより、貨幣処理装置の保守作業が行われる際に、貨幣処理装置本体に不具合が生じた場合にも、保守端末が貨幣処理装置のログ情報を直ちに取得することができる。
【図面の簡単な説明】
【００１８】
【図１】本発明の第一の実施形態によるログ情報管理システムの構成を示す図である。
【図２】本実施形態による貨幣処理装置の構成を示す図である。
【図３】本実施形態による携帯端末の構成を示す図である。
【図４】本実施形態によるログ情報管理システムの処理フローを示す図である。
【図５】本発明の第二の実施形態による貨幣処理装置の構成を示す図である。
【図６】本実施形態による携帯端末の構成を示す図である。
【図７】本実施形態によるログ情報管理システムの処理フローを示す図である。
【図８】本発明の実施形態によるハードディスクを備える貨幣処理装置の構成を示す第１の図である。
【図９】本発明の実施形態によるハードディスクを備える貨幣処理装置の構成を示す第２の図である。
【発明を実施するための形態】
【００１９】
＜第一の実施形態＞
以下、本発明の第一の実施形態について、図面を参照して詳細に説明する。
まず、本実施形態によるログ情報管理システム１の概要について説明する。
本実施形態によるログ情報管理システム１は、図１に示すように、貨幣処理装置１０と、携帯端末２０と、を備える。
【００２０】
貨幣処理装置１０は、第１電力源１０１を備える貨幣処理装置本体１１と、第２電力源１０２と、メモリデバイス１０３と、を備える。貨幣処理装置１０は、例えば、ＡＴＭ（Ａｕｔｏｍａｔｅｄ  Ｔｅｌｌｅｒ  Ｍａｃｈｉｎｅ、現金自動預け払い機）である。
貨幣処理装置本体１１は、貨幣処理を行う。ここで、貨幣処理は、例えば、現金の預け入れ処理、現金の引き出し処理、他口座への送金処理などである。
【００２１】
第１電力源１０１、第２電力源１０２のそれぞれは、メモリデバイス１０３に電力を供給する。具体的には、第１電力源１０１がメモリデバイス１０３に電力を供給できる場合には、第１電力源１０１がメモリデバイス１０３に電力を供給し、第２電力源１０２はメモリデバイス１０３に電力を供給しない。また、第１電力源１０１がメモリデバイス１０３に電力を供給できなくなった場合に、第２電力源１０２がメモリデバイス１０３に電力を供給する。
メモリデバイス１０３は、保守作業に用いる貨幣処理装置１０のログ情報を示す貨幣処理装置ログ情報を記憶する。貨幣処理装置ログ情報は、貨幣処理装置１０が行う貨幣処理についてのログ情報を含む。また、貨幣処理装置ログ情報は、貨幣処理装置１０における装置の状態を示すログ情報を含む。メモリデバイス１０３は、無線通信機能を有する貨幣処理装置１０に対して着脱可能な（以下、「リムーバブルな」と記載）メモリデバイスであり、第１電力源１０１以外の電力源から電力が供給された場合に、貨幣処理装置本体１１から独立して動作する。
【００２２】
携帯端末２０は、保守作業を行う保守端末であり、保守作業を行う際に貨幣処理装置ログ情報をリムーバブルなメモリデバイス１０３と無線通信する。携帯端末２０は、メモリデバイス１０３から受信した貨幣処理装置ログ情報を記憶する。
【００２３】
ログ情報管理システム１において、第１電力源１０１がメモリデバイス１０３に電力を供給できなくなった場合であっても、第２電力源１０２がメモリデバイス１０３に電力を供給する。携帯端末２０は、第２電力源１０２がメモリデバイス１０３に電力を供給している状態でメモリデバイス１０３と無線通信し、メモリデバイス１０３が記憶する貨幣処理装置ログ情報を取得する。
【００２４】
次に、本実施形態による貨幣処理装置１０の構成について説明する。
貨幣処理装置１０は、図２に示すように、貨幣処理装置本体１１と、第２電力源１０２と、メモリデバイス１０３と、電力供給判定部１０４と、電力源制御部１０８と、を備える。
貨幣処理装置本体１１は、第１電力源１０１と、貨幣処理部１０５と、ログ情報生成部１０６と、ログ情報送信部１０７と、を備える。
【００２５】
第１電力源１０１は、電力源制御部１０８による制御に基づいて、メモリデバイス１０３に電力を供給する。
第２電力源１０２は、電力供給判定部１０４が第１電力源１０１がメモリデバイス１０３に電力を供給していないと判定した場合に、電力源制御部１０８による制御に基づいて、メモリデバイス１０３に電力を供給する。
【００２６】
メモリデバイス１０３は、貨幣処理装置ログ情報を記憶する。メモリデバイス１０３は、無線通信機能を有するリムーバブルなメモリデバイスであり、第１電力源１０１以外の電力源から電力が供給された場合に、貨幣処理装置本体１１から独立して動作する。メモリデバイス１０３は、例えば、ＦｌａｓｈＡｉｒ（登録商標）である。
【００２７】
電力供給判定部１０４は、第１電力源１０１がメモリデバイス１０３に電力を供給しているか否かを判定する。
【００２８】
貨幣処理部１０５は、現金の預け入れ処理、現金の引き出し処理、他口座への送金処理などの貨幣処理装置１０における貨幣処理を行う。
ログ情報生成部１０６は、貨幣処理装置ログ情報を生成する。貨幣処理装置ログ情報は、貨幣処理部１０５が行った貨幣処理のログ情報である貨幣処理ログ情報を含む。なお、貨幣処理装置１０のログ情報は、第１電力源１０１などの電力源の不良、後述する電力源制御部１０８などの制御部の不良などのログ情報を含んでよい。
【００２９】
ログ情報送信部１０７は、ログ情報生成部１０６が生成した貨幣処理装置ログ情報を生成した直後にリムーバブルなメモリデバイス１０３に送信する。
電力源制御部１０８は、第１電力源１０１と第２電力源１０２のそれぞれによるメモリデバイス１０３への電力の供給の制御を行う。
【００３０】
次に、本実施形態による携帯端末２０の構成について説明する。
携帯端末２０は、図３に示すように、携帯端末無線通信部２０１と、ログ情報取得部２０２と、携帯端末記憶部２０３と、を備える。
【００３１】
携帯端末無線通信部２０１は、貨幣処理装置ログ情報をメモリデバイス１０３と無線通信する。
ログ情報取得部２０２は、携帯端末無線通信部２０１を介して、貨幣処理装置ログ情報を取得する。ログ情報取得部２０２は、取得した貨幣処理装置ログ情報を携帯端末記憶部２０３に記録する。
携帯端末記憶部２０３は、携帯端末無線通信部２０１が貨幣処理装置１０から受信した貨幣処理装置ログ情報を記憶する。
【００３２】
次に、本実施形態によるログ情報管理システム１の処理について説明する。
ここでは、図４に示すログ情報管理システム１の処理フローについて説明する。
【００３３】
貨幣処理装置１０が起動すると、電力源制御部１０８は、メモリデバイス１０３への電力の供給を指示する電力供給指示信号を第１電力源１０１に送信する。
第１電力源１０１は、電力源制御部１０８から電力供給指示信号を受信すると、受信した電力供給指示信号に応じてメモリデバイス１０３に電力を供給する（ステップＳ１）。
【００３４】
また、貨幣処理装置１０が起動すると、貨幣処理部１０５は、ユーザによる入力操作に基づいて、貨幣処理装置１０における貨幣処理（例えば、現金の預け入れ処理、現金の引き出し処理、送金処理など）を開始する（ステップＳ２）。
ログ情報生成部１０６は、貨幣処理装置ログ情報を生成する（ステップＳ３）。例えば、ログ情報生成部１０６は、貨幣処理部１０５から貨幣処理の情報を取得し、電力源制御部１０８から電源制御の情報を取得して、取得した情報に基づいて貨幣処理装置ログ情報を生成する。
ログ情報生成部１０６は、生成した貨幣処理装置ログ情報をメモリデバイス１０３に記録する（ステップＳ４）。
【００３５】
また、貨幣処理装置１０が起動すると、電力供給判定部１０４は、第１電力源１０１がメモリデバイス１０３に電力を供給しているか否かの判定（ステップＳ５）を開始し、判定結果を電力源制御部１０８に送信する。具体的には、電力供給判定部１０４は、第１電力源１０１からメモリデバイス１０３に供給される電圧を読み取る。そして、電力供給判定部１０４は、読み取った電圧がゼロボルトではない場合に、第１電力源１０１がメモリデバイス１０３に電力を供給していると判定し、電力を供給していることを示す電力供給判定結果を電力源制御部１０８に送信する。また、電力供給判定部１０４は、読み取った電圧がゼロボルトである場合に、第１電力源１０１がメモリデバイス１０３に電力を供給していないと判定し、電力を供給していないことを示す電力未供給判定結果を電力源制御部１０８に送信する。
【００３６】
電力源制御部１０８は、電力供給判定部１０４から電力供給判定結果を受信した場合（ステップＳ５、ＹＥＳ）、ステップＳ１の処理に戻す。
【００３７】
また、電力源制御部１０８は、電力供給判定部１０４から電力未供給判定結果を受信した場合（ステップＳ５、ＮＯ）、第１電力源１０１への電力供給指示信号の送信を停止し、電力供給指示信号を第２電力源１０２に送信する。第２電力源１０２は、電力源制御部１０８から電力供給指示信号を受信すると、受信した電力供給指示信号に応じてメモリデバイス１０３に電力を供給する（ステップＳ６）。このステップＳ６の処理により、メモリデバイス１０３は、貨幣処理装置本体１１に不具合が生じても、貨幣処理装置本体１１から独立して動作できる状態となる。
【００３８】
ログ情報取得部２０２は、メモリデバイス１０３が貨幣処理装置本体１１から独立して動作できる状態で、携帯端末無線通信部２０１を介して、貨幣処理装置ログ情報を取得するためのログ情報取得要求をメモリデバイス１０３に送信する（ステップＳ７）。
【００３９】
メモリデバイス１０３は、ログ情報取得部２０２からログ情報取得要求を受信すると（ステップＳ８）、受信したログ情報取得要求に応じて貨幣処理装置ログ情報を携帯端末２０に送信する（ステップＳ９）。
【００４０】
ログ情報取得部２０２は、メモリデバイス１０３から携帯端末無線通信部２０１を介して、貨幣処理装置ログ情報を受信する（ステップＳ１０）。ログ情報取得部２０２は、受信した貨幣処理装置ログ情報を携帯端末記憶部２０３に記録する（ステップＳ１１）。
【００４１】
なお、上述のログ情報管理システム１の処理において、第２電力源１０２がメモリデバイス１０３に電力を供給し、メモリデバイス１０３が貨幣処理装置本体１１から独立して動作できる状態で、ログ情報取得部２０２が、携帯端末無線通信部２０１を介して、ログ情報取得要求をメモリデバイス１０３に送信する場合を説明した。しかしながら、ログ情報取得部２０２は、それに限定されず、貨幣処理装置本体１１の第１電力源１０１がメモリデバイス１０３に電力を供給している間に、携帯端末無線通信部２０１を介して、ログ情報取得要求をメモリデバイス１０３に送信するものである。この場合にも、ログ情報管理システム１において、ステップＳ８〜ステップＳ１１と同様の処理が行われ、ログ情報取得部２０２は、メモリデバイス１０３から携帯端末無線通信部２０１を介して、貨幣処理装置ログ情報を受信する。また、ログ情報取得部２０２は、受信した貨幣処理装置ログ情報を携帯端末記憶部２０３に記録する。
【００４２】
以上、本発明の第一の実施形態によるログ情報管理システム１について説明した。上述のログ情報管理システム１において、リムーバブルなメモリデバイス１０３は、貨幣処理装置本体１１が備える第１電力源１０１以外の電力源である第２電力源１０２から電力が供給された場合に、貨幣処理装置本体１１から独立して動作し、貨幣処理装置１０のログ情報である貨幣処理装置ログ情報を携帯端末２０と無線通信する。携帯端末無線通信部２０１は、貨幣処理装置ログ情報をリムーバブルなメモリデバイス１０３と無線通信する。携帯端末記憶部２０３は、携帯端末無線通信部２０１が受信した貨幣処理装置ログ情報を記憶する。
こうすることで、貨幣処理装置１０の保守作業が行われる際に、貨幣処理装置本体１１に不具合が生じた場合にも、携帯端末２０（保守端末）が貨幣処理装置１０のログ情報を直ちに取得することができる。
【００４３】
＜第二の実施形態＞
本発明の第二の実施形態によるログ情報管理システム１について説明する。
本実施形態によるログ情報管理システム１は、図１で示した第一の実施形態によるログ情報管理システム１と同様に、貨幣処理装置１０と、携帯端末２０と、を備える。
【００４４】
ただし、本実施形態による貨幣処理装置１０のログ情報生成部１０６は、図５に示すように、ログ情報暗号化処理部１０９を備える。
ログ情報暗号化処理部１０９は、ログ情報生成部１０６が生成した貨幣処理装置ログ情報を暗号化する。
【００４５】
また、本実施形態による携帯端末２０のログ情報取得部２０２は、図６に示すように、ログ情報暗号解除処理部２０４を備える。
ログ情報暗号解除処理部２０４は、ログ情報取得部２０２が取得した貨幣処理装置ログ情報の暗号化を解除する。
【００４６】
次に、本実施形態によるログ情報管理システム１の処理について説明する。
ここでは、図７に示すログ情報管理システム１の処理フローについて説明する。
なお、図７に示すログ情報管理システム１の処理フローでは、図４で示したログ情報管理システム１の処理フローと処理の異なるステップＳ２１とステップＳ２２の処理について説明する。
【００４７】
ログ情報生成部１０６は、ステップＳ３の処理により、貨幣処理装置ログ情報を生成する。
ログ情報暗号化処理部１０９は、ログ情報生成部１０６が生成した貨幣処理装置ログ情報を暗号化する（ステップＳ２１）。
ログ情報暗号化処理部１０９は、ステップＳ４の処理により、暗号化された貨幣処理装置ログ情報をメモリデバイス１０３に記録する。
【００４８】
ログ情報取得部２０２は、ステップＳ１０の処理により、メモリデバイス１０３から携帯端末無線通信部２０１を介して、貨幣処理装置ログ情報を受信する。
ログ情報暗号解除処理部２０４は、ログ情報取得部２０２が受信した貨幣処理装置ログ情報の暗号化を解除する（ステップＳ２２）。
ログ情報取得部２０２は、ステップＳ１１の処理により、暗号が解除された貨幣処理装置ログ情報を携帯端末記憶部２０３に記録する。
【００４９】
以上、本発明の第二の実施形態によるログ情報管理システム１について説明した。上述のログ情報管理システム１において、リムーバブルなメモリデバイス１０３は、貨幣処理装置本体１１が備える第１電力源１０１以外の電力源である第２電力源１０２から電力が供給された場合に、貨幣処理装置本体１１から独立して動作し、貨幣処理装置１０のログ情報である貨幣処理装置ログ情報を携帯端末２０と無線通信する。携帯端末無線通信部２０１は、貨幣処理装置ログ情報をリムーバブルなメモリデバイス１０３と無線通信する。携帯端末記憶部２０３は、携帯端末無線通信部２０１が受信した貨幣処理装置ログ情報を記憶する。
こうすることで、貨幣処理装置１０の保守作業が行われる際に、貨幣処理装置本体１１に不具合が生じた場合にも、携帯端末２０（保守端末）が貨幣処理装置１０のログ情報を直ちに取得することができる。
【００５０】
また、上述のログ情報管理システム１において、ログ情報暗号化処理部１０９は、ログ情報生成部１０６が生成した貨幣処理装置ログ情報を暗号化する。
こうすることで、ログ情報管理システム１において、貨幣処理装置１０から貨幣処理装置ログ情報が漏えいした場合であっても、具体的な内容は外部に漏えいせず、セキュリティを強化することができる。
また、ログ情報暗号解除処理部２０４は、ログ情報取得部２０２が取得した貨幣処理装置ログ情報の暗号化を解除する。
こうすることで、ログ情報管理システム１において、上述のようにセキュリティを強化した場合であっても、貨幣処理装置１０の保守作業を行うことができる。
【００５１】
なお、本発明の実施形態において、貨幣処理装置１０は、図８や図９に示すように、ハードディスク１１０を備えてよい。そして、ログ情報生成部１０６は、ステップＳ４の処理において、生成した貨幣処理装置ログ情報をメモリデバイス１０３と同時にハードディスク１１０に記録する。
こうすることで、ログ情報管理システム１において、貨幣処理装置ログ情報のバックアップを記録することができる。
【００５２】
なお、本発明におけるハードディスク、記憶部、メモリのそれぞれは、適切な情報の送受信が行われる範囲においてどこに備えられていてもよい。また、記憶部やメモリは、適切な情報の送受信が行われる範囲において複数存在しデータを分散して記憶していてもよい。
【００５３】
なお本発明の実施形態における処理フローは、適切な処理が行われる範囲において、処理の順番が入れ替わってもよい。
【００５４】
なお本発明の実施形態について説明したが、上述の貨幣処理装置１０、携帯端末２０のそれぞれは内部に、コンピュータシステムを有している。そして、上述した処理の過程は、プログラムの形式でコンピュータ読み取り可能な記憶部に記憶されており、このプログラムをコンピュータが読み出して実行することによって、上記処理が行われる。ここでコンピュータ読み取り可能な記憶部とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５５】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００５６】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００５７】
１・・・ログ情報管理システム
１０・・・貨幣処理装置
１１・・・貨幣処理装置本体
２０・・・携帯端末
１０１・・・第１電力源
１０２・・・第２電力源
１０３・・・メモリデバイス
１０４・・・電力供給判定部
１０５・・・貨幣処理部
１０６・・・ログ情報生成部
１０７・・・ログ情報送信部
１０８・・・電力源制御部
１０９・・・ログ情報暗号化処理部
１１０・・・ハードディスク
２０１・・・携帯端末無線通信部
２０２・・・ログ情報取得部
２０３・・・携帯端末記憶部
２０４・・・ログ情報暗号解除処理部
【図１】
2017027399.tif 000003
【図２】
2017027399.tif 000004
【図３】
2017027399.tif 000005
【図４】
2017027399.tif 000006
【図５】
2017027399.tif 000007
【図６】
2017027399.tif 000008
【図７】
2017027399.tif 000009
【図８】
2017027399.tif 000010
【図９】
2017027399.tif 000011